(57)【要約】【課題】熱可塑性樹脂で形成されているバンドの再利用を図り、当該バンドを簡易に接合する方法を利用することにより、製造できる形状の幅を広げて、様々な形状及び装飾を伴って形成する事のできるマスコット玩具を提供すること。【解決手段】熱可塑性樹脂を用いて紐状又は帯状に形成された１又は２以上のバンド部材からなるマスコット玩具であって、重なり合っているバンド部材同士を、その厚さ方向に貫通する孔の縁部分において溶融一体化した接合部が１又は２か所以上形成されているマスコット玩具とする。【選択図】図３
0003201937.tif 000002
【実用新案登録請求の範囲】
【請求項１】
熱可塑性樹脂を用いて紐状又は帯状に形成された１又は２以上のバンド部材からなるマスコット玩具であって、
重なり合っているバンド部材同士を、その厚さ方向に貫通する孔の縁部分において溶融一体化した接合部が１又は２か所以上形成されており、当該接合部によって重なり合っているバンド部材同士が接合されている事を特徴とする、マスコット玩具。
【請求項２】
前記バンド部材の少なくとも何れかは、その厚さ方向に曲折させることによってリング状又は筒状に形成されており、
前記バンド部材によって区画されている空間内には、弾性変形可能な充填材が充填されている、請求項１に記載のマスコット人形。
【請求項３】
少なくとも何れかの溶接部は、１のバンド部材における端部の閉塞と、２以上のバンド部材同士の連結とを同時に行っている、請求項１又は２に記載のマスコット玩具。
【請求項４】
複数のバンド部材を用いて形成されており、少なくとも２つ以上のバンド部材は環状に形成されると共に、その開口部を同じ向きに揃えて一体化されている、請求項１〜３の何れか一項に記載のマスコット玩具。
【考案の詳細な説明】
【技術分野】
【０００１】
本考案は熱可塑性樹脂からなる紐状又は帯状のバンドを用いて形成したマスコット玩具に関し、特に荷造りや結束に使用されているポリプロピレン製のバンド（以下「ＰＰバンド」とする）等の様に廃棄される材料を使用して製造する事の出来るマスコット玩具に関する。
【背景技術】
【０００２】
工作は創造的な創作力を育むことができることから、子供のみならず大人においても関心が高い。近年では手指を動かすことによる脳の活性化も注目されており、介護施設などでも積極的に実施されている。このような工作に際しては、既成の材料を用いて単に組み立てるように構成されているものや、市販されている様々な部品を利用して、自らの創作により造形活動を行うように工夫されているものも存在する。特に、後者においては使用できるパーツが無限に存在することから、作成者の創作力を喚起させる上では望ましいと言える。
【０００３】
この点、従前においては想像・創作活動を際限なく行うことができる上、当該想像・創作活動を効果的に行える組立玩具及び組立玩具用ブロックとして、特許文献１（特開２００３−２２５４７６号公報）が提案されている。即ち、この文献１では、複数のブロックを組み合わせてなる組立玩具であって、各ブロックは、金属製金具、非金属製の蝶番、非金属製の釘、非金属製のネジ、非金属製のナット及び非金属製のワッシャーの中から選択される同種又は異種の２個以上の基本パーツだけで形成されており、全てのブロックは、他の何れかのブロックに組み合う連結部を備え、各ブロックは、当該連結部で組み合わされている組立玩具が提案されている。
【０００４】
また、特許文献２（特開平８−４７５８４号公報）では、梱包後廃物となるＰＰバンドを利用して動物おもちゃを作ることが提案されている。即ちこの文献では、資源の再利用を計るとともに、廃棄物利用の教材として利用するべく、おもちゃ作りの材料にＰＰバンドを使用するものであり、ＰＰバンドを切ったり、編んだり、折り曲げたりして動物おもちゃを作る事が提案されている。
【０００５】
更に特許文献３（特開２０１０−１６２０９５号公報）では、飛ばした時に、空中で紙飛行機と発射装置が離れ、発射装置は遠心力で羽が開き回りながら飛行する発射装置を付けた紙飛行機が提案されており、その羽を構成する剛性があって薄い素材として、ＰＰバンドが例示されている。
【先行技術文献】
【特許文献】
【０００６】
【特許文献１】特開２００３−２２５４７６号公報
【特許文献２】特開平８−４７５８４号公報
【特許文献３】特開２０１０−１６２０９５号公報
【考案の概要】
【考案が解決しようとする課題】
【０００７】
上記従前においても、創作力を掻き立てる様に、市販の材料などを用いて各パーツから形成する組立玩具は提案されている。しかしながら、従来提案されている組立玩具で使用できるパーツは、接着剤などによって簡易に接着できるものであったり、或いは各構成要素自体が結合乃至は係合自在に形成されたものが殆どであり、接着剤の使用が困難な材料を用いて製造することのできる組立玩具は提案されていなかった。
【０００８】
一方で、荷造りや物品の結束に際してはポリプロピレン製のバンド（以下「ＰＰバンド」とする）が使用されている。このＰＰバンドは、専門の溶着器具や結束具をした場合には簡易に連結する事が可能であるが、接着剤などによって接合すのは困難であった。また、このＰＰバンドは、荷造りなどに際して使用され、梱包が解かれた後には廃棄されることになるが、前記の通り接合や結束の困難性も相まって、有効な再利用の方法が見いだされなかった。この点、前記特許文献２や３では、当該ＰＰバンドの再利用方法として、玩具を構成する材料として利用する事は提案されているものの、やはり接合の困難性から、切ったり、編んだり、折り曲げたりして使用するのみであり、その用途において自ずと限界が生じていた。
【０００９】
そこで本考案は、このような状況に鑑み、熱可塑性樹脂で形成されているバンドの再利用を図る事を第一の課題とし、更に当該バンドを簡易に接合する方法を見出すことにより、製造できる形状の幅を広げて、様々な形状及び装飾を伴って形成する事のできるマスコット玩具を提供する事を第二の課題とする。
【００１０】
更に当該バンドを使用してマスコット玩具等の造形物を形成した場合には、当該バンドは幅方向に曲折しにくく、厚さ方向に曲折自在であるという特質があり、更に厚さ方向の端面から見た場合には薄いことから、視認性に乏しいと言う特質がある。したがって、任意の形状に折り曲げるためには、厚さ方向に曲折するのが望ましいものの、厚さ方向に薄く視認性に乏しい為に、その曲折させた形状を認識しにくいという問題が有った。
【００１１】
そこで本考案は、加工容易性を高めるべく厚さ方向に曲折させながらも、その曲折させた形状を確実に認識でき且つ意匠上も優れた形状とする事ができる熱可塑性樹脂バンドを用いて形成したマスコット玩具を提供する事を第三の課題とする。
【課題を解決するための手段】
【００１２】
上記課題の少なくとも何れかを解決する為に、本考案では熱可塑性樹脂からなるバンド部材を重ね合わせ、貫通孔を形成することにより、当該孔の縁部分で溶融一体化する技術を見出し、本考案を完成するに至ったものである。
【００１３】
即ち、本考案にかかるマスコット玩具は、熱可塑性樹脂を用いて紐状又は帯状に形成された１又は２以上のバンド部材からなるマスコット玩具であって、重なり合っているバンド部材同士を、その厚さ方向に貫通する孔の縁部分において溶融一体化した接合部が１又は２か所以上形成されており、当該接合部によって重なり合っているバンド部材同士が接合されている事を特徴とするものである。
【００１４】
当該マスコット玩具を構成する材料として、熱可塑性樹脂からなるバンド部材を用いて形成している事から、重なり合わせたバンド部材同士を加熱溶融し、これを硬化させることで簡易且つ迅速に接合する事ができる。その際、半田鏝等の様に、当該熱可塑性樹脂の融点以上に加熱可能であって、加熱部分が棒状になっている器具や部材を使用し、これで重ね合わせたバンド部材同士を貫通する孔を形成する事により、当該孔の周囲においては重なり合ったバンド部材同士が溶融一体化し、確実な接合を実現する事ができる。
【００１５】
したがって、本考案にかかるマスコット玩具では、重なり合ったバンド部材同士を貫通する孔の周囲において溶融一体化することにより、当該半田鏝等を使用して簡易且つ迅速に接合する事ができるマスコット玩具が実現している。特に、半田鏝等を使用して重なり合ったバンド部材を溶融一体化することにより、その接合作業の容易性を高める事ができるのみならず、接合時間を短縮化する事ができる。その結果、当該バンド部材の接合方法を使用する本考案にかかるマスコット玩具は、簡易且つ迅速に製造する事ができ、よってカルチャースクールなどにおいて、時間が限られている状況下でも作成する事ができる。よって、本考案にかかるマスコット玩具は、カルチャースクールや学校など、知識乃至は技芸を教授する事業分野においても実施・利用する事ができる。
【００１６】
更に、当該バンド部材同士の接合は、重なり合うバンド部材同士を溶融一体化して行っている事から、バンド部材以外の材料は存在しないように構成する事ができる。この点、仮にバンド部材同士の接合を接着剤やビスなどで行った場合には、背着材やビスなどの材料が存在してしまう事になる。本考案にかかるマスコット玩具では、このような接着剤や金属材料などを存在させること無く製造可能である事から、製品の品質の安定性を図る事ができる。よって例えば食品分野や医療分野などの様に品質管理を厳重に行わなければならない分野においても使用する事ができる。具体的には、弁当などで各種食品を収容する空間を区分けする為の仕切りや、任意の形状に小売りを作るための仕切りとして利用する事もできる。
【００１７】
また、本考案にかかるマスコット玩具では、バンド部材を溶着によって一体化している事から、接着剤で接合した場合に比べても耐久性を向上させることができ、長年の使用による接着剤層の劣化によって剥離してしまうといった問題も生じない。よって、本考案にかかるマスコット玩具は、使用耐久性を向上させたマスコット玩具となっている。
【００１８】
上記バンド部材は、帯状に形成されたものである他、紐状に形成されているものも含む。当該バンド部材が帯状である場合には、その厚さや幅は任意であって良く、また紐状であればその太さや断面形状も任意であって良い。これらは制作するマスコット玩具の形態に基づいて、任意に選択乃至は組み合わせて使用することができる。また、当該バンド部材をの色も制作するマスコット玩具の形態に応じて、任意に選択する事ができる。
【００１９】
本考案において、当該バンド部材は、少なくとも熱可塑性樹脂を用いて製造される事が必要である。かかる熱可塑性樹脂としては、ポリエチレン、ポリプロピレン、ポリアミド、ポリアセタール、ポリブチレンテレフタレート、ポリエチレンテレフタレート、ポリフェニレンスルフィド、ポリエーテルエーテルケトン、ポリイミド、フッ素樹脂などの結晶性の熱可塑性樹脂を用いることができる。また、一般に非晶性樹脂と呼ばれる熱可塑性樹脂であっても、ＤＭＡ試験において融点を示す熱可塑性樹脂、例えば、ポリスチレンやポリカーボネートなども用いることができる。
【００２０】
そして本考案にかかるマスコット玩具を製造する為の材料としては、特に荷造り紐などに利用されているポリプロピレン製のバンド（ＰＰバンド）を使用するのが望ましい。かかるＰＰバンドは荷造り紐として多用されている一方で、その再利用が困難であった。そこで本考案のマスコット玩具に使用する事で、廃棄物を減じ、有効活用を図ることが可能になるためである。また、本考案にかかるマスコット玩具の材料として、使用済みのＰＰバンドを使用する事で、資源の有効活用に対する意識を高める事ができ、使用者の環境保全に対する意識を高める事ができる為である。かかるＰＰバンドは、色、幅、厚さ等、様々なものが提供されていることから、作成するマスコット玩具の形態に応じて、適宜選択して使用する事ができる。
【００２１】
また、本考案にかかるマスコット玩具は、様々な意匠形状に形成意する事ができる。例えば梟、トンボ、魚などの動物や各種植物などの生き物を模した形状である他、幾何学的な模様を有する形状に形成する事ができる。特に、本考案にかかるマスコット玩具は、接着剤や金属材料を使用することなく、融着によって一体化している事から、例えば水中で使用することもできる。したがって、例えば水中植物や水中生物を模した形状に形成し、水中で使用する事もできる。その際、製造する材料としてＰＰバンドを使用した場合には水中で浮かぶことから、適宜錘を設けて水に浮かせたり沈めたりして使用することもできる。
【００２２】
また本考案にかかるマスコット玩具は、室内又は屋外の装飾品として使用する他、ストラップやリングを取り付けて装飾品として使用する事ができ、更にコースターや鍋敷き、或いは花台等の日用品として使用する事もできる。特に鍋敷きなどとして使用する場合には、当該バンド部材は一定の耐熱性を有する熱可塑性樹脂を用いて形成することが望ましく、例えば１５０℃以上の耐熱温度を有する熱可塑性樹脂を用いて形成するのが望ましい。また、ポリプロピレンの様に食品包装用容器もに使用されている材料からなるバンド部材を用いて形成した場合には、食品包装容器内における仕切りとしても使用する事ができる。
【００２３】
また本考案にかかるマスコット玩具において、これを構成するバンド部材の少なくとも何れかは、その厚さ方向に曲折させることによってリング状又は筒状に形成されているとともに、当該マスコット玩具を構成するバンド部材によって区画されている空間内には、弾性変形可能な充填材を充填して形成するのが望ましい。バンド部材を厚さ方向に曲折させることにより、特段の力を要すること無く簡易に所望の形状を形成する事ができる。また当該バンド部材が帯状である場合には、その厚さは僅かである事から、これを正面から認識するのが困難になる。そこで、当該バンド部材によって区画されている領域内にコットン。ゴム、発泡樹脂など弾性変形可能な充填材を充填することにより、正面からの視認性を高めて、バンド部材で形成した形状の視認性を高める事ができる。かかる充填材は、全体の意匠を考慮した上で、任意の色彩のものを選択して使用する事ができる。
【００２４】
また、本考案にかかるマスコット玩具は、少なくとも何れかの溶接部は、１のバンド部材における端部の閉塞と、２以上のバンド部材同士の連結とを同時に行うように構成することが望ましい。当該バンド部材の閉塞と連結を同時に行う事により、溶融一体化する際に生じる孔の数を減じる事ができ、意匠上も望ましいものとなる。また、溶融箇所を減じる事により作業効率を高める事もできる。
【００２５】
また、本考案にかかるマスコット玩具では、複数のバンド部材を用いて形成し、少なくとも２つ以上のバンド部材は環状に形成されると共に、その開口部を同じ向きに揃えて一体化して形成することが望ましい。より具体的には厚さ方向に曲折して環状又は筒状に形成したパーツを組み合わせて形成する際に、その開口が同じ向きになるように形成するものであり、その結果、正面から見た時に、当該マスコット玩具を構成する全てのバンド部材は、厚さ方向に沿う面を正面側に存在させることができる。よって、本考案にかかるマスコット玩具は、これを構成するバンド部材は、その幅方向に沿う面が同じ向きになるように組み合わせることが望ましい。更に、組み合わせるバンド部材は、その幅方向の縁部を同一平面に存在させて形成する他、何れかのバンド部材を他のバンド部材と段違いに一体化する事もできる。これにより、幅方向にも凹凸のあるマスコット玩具を形成する事ができる。
【考案の効果】
【００２６】
上記本考案にかかるマスコット玩具によれば、加工、特に接合が困難な熱可塑性樹脂製のバンド部材であっても、半田鏝等を用いて形成した孔の周りにおける溶融一体化により、簡易に接合する事ができることから、熱可塑性樹脂で形成されているバンドであっても、これを再利用する事ができる。更に半田鏝等で溶融して形成した貫通孔により、重なり合ったバンド部材は溶融一体化する事から、当該ベルトを簡易に接合することができる。その結果、製造容易性が高まり、製造できる形状の幅を広げて、様々な形状及び装飾を伴って形成する事のできるマスコット玩具を提供する事ができる。
【００２７】
また、本考案にかかるマスコット玩具は、これを構成するバンド部材を、厚さ方向に貫通する孔の縁部で溶融一体化して接合している事から、他の材料、例えば接着剤や金属などが存在する事が無くなり、よって単一素材からなり、接着剤などの異物の混入のおそれを無くした安全性の高いマスコット玩具とすることができる。
【００２８】
更に本考案にかかるマスコット玩具において、これを構成するバンド部材の少なくとも何れかは、その厚さ方向に曲折させてリング状又は筒状に形成した場合には、困難なく任意の形状に形成する事ができる。また、このバンド部材によって区画されている空間内に、弾性変形可能な充填材を充填することにより、薄肉に形成されて視認性に乏しいバンド部材の側面が正面側に存在する場合であっても、当該バンド部材によって形成された形状を明確に示す事ができる。よって本考案にかかるマスコット玩具は、加工容易性を高めるべく厚さ方向に曲折させながらも、その曲折させた形状を確実に認識でき且つ意匠上も優れた形状とする事ができる、熱可塑性樹脂バンドを用いて形成したマスコット玩具を提供する事ができる。
【図面の簡単な説明】
【００２９】
【図１】バンド部材の結合状態を示す（Ａ）斜視図、（Ｂ）Ｘ−Ｘ矢視断面図
【図２】バンド部材の連結及び結合状態を示す略図
【図３】第１の実施の形態にかかるマスコット玩具の製造工程を示す略図。
【図４】第２の実施の形態にかかるマスコット玩具の製造工程を示す略図。
【図５】他の実施の形態にかかるマスコット玩具を示す斜視図
【図６】更に他の実施の形態にかかるマスコット玩具を示す（Ａ）斜視図、（Ｂ）正面図
【考案を実施するための形態】
【００３０】
以下、図面を参照しながら本実施の形態におけるマスコット玩具50の作成方法と、幾つかの実施の形態にかかるマスコット玩具50を具体的に説明する。
【００３１】
図１は本実施の形態にかかるマスコット玩具50の作成に際して実施されるバンド部材10の溶着工程を示す（Ａ）斜視図、（Ｂ）Ｘ−Ｘ矢視断面図であり、図２は他の実施の形態にかかるバンド部材10の溶着工程を示す縦断面図である。以下に示す幾つかの実施の形態にかかるマスコット玩具50を作成する際には、熱可塑性樹脂からなる帯状のバンド部材10を接合して、任意の形状に形成することになる。そしてこのバンド部材同士の接合では、図１に示様に、半田鏝40を使用して行う事ができる。即ち、接合する２つのバンド部材10を重ね合わせ、その厚さ方向に貫通する様に、加熱した半田鏝40を差し入れる。その結果、重なり合っているバンド部材同士は、当該貫通孔20の近傍において溶融し、これが冷える事により、迅速に固まって、重ね合っているバンド部材同士を接合する事ができる。特に本実施の形態では、このバンド部材10として、梱包に使用され、廃棄される筈のＰＰバンドを用いている。その結果、本来であれば再利用が困難なＰＰバンドを有効に利用する事ができる。
【００３２】
この様に重ね合わせたバンド部材10の接合に際して、使用する半田鏝40は任意に選択してよいが孔部20が露出する事を考慮すれば、これを目立たさないようにすることが望ましい。その為に、棒状の加熱部分はできるだけ細く形成されている半田鏝40を使用するのが望ましい。また、バンド部材同士を接合する為の孔部20は、任意の数で形成する事ができ、これは使用するバンド部材10の幅や当該接合部分に要求される強度を考慮して選択すればよい。このようにバンド部材10の融点以上の温度に加熱した半田鏝40で開口部（孔部20）を形成し、その縁部において溶融一体化した場合には、図１（Ｂ）に示す様に、貫通孔20の周りにおいて各バンド部材10が溶融し、これが混ざり合って固化することにより、重なり合うバンド部材同士の接合を果たす事ができる。
【００３３】
図２は厚さ方向に湾曲させた環状のバンド部材10の端部同士の連結と、平板状に形成されているバンド部材10との接合を同時に行う連結部（孔部20）を示している。図２（Ａ）に示す様に、環状に湾曲させた端部同士を重ね合わせると共に、この重ね合わせた部位に更に平板状のバンド部材10を重ね合わせている。そしてこれらを貫通する様に、加熱した半田鏝40を刺し通し、これによって重なり合っているバンド部材10の孔部20の周辺を溶解させる。この溶解部分は相互に混ざり合って固化し、これによって環状のバンド部材10の連結と、平板上のバンド部材10の接合とを同時に行う事ができる。即ち、この図２では、１つのバンド部材10における部分同士の接合と、他のバンド部材10との接合を同時に実施している。
【００３４】
図３〜６は、上記図１及び２に示した方法でバンド部材10を接合することによって形成した幾つかの実施の形態にかかるマスコット玩具50を示している。
【００３５】
図３に示したマスコット玩具50は、特にトンボをイメージする事の出来るデザインとして形成したものである。この実施の形態では、「Ｖ」字状に曲折させた両端側を湾曲させて目部分を構成するように形成した目部分パーツ12と、一部を内側に「Ｖ」字状に凹ませて胴部分を構成するように形成した胴部分パーツ13と、左右方向に水滴状に突出するように湾曲させて羽根部分を構成するように形成した羽根部分パーツ14と、長丸形状に湾曲させて尾部分を構成するように形成した尾部分パーツ15とを構成し（図３（Ａ））、目部分パーツ12を胴部分パーツ13に接合し、この胴部分パーツ13に羽根部分パーツ14と尾部分パーツ15とを接合して形成している（図３（Ｂ））。特に本実施の形態においても、各パーツ同士の接合は、前記図１や２に示したように、重ね合わせたバンド部材10を貫通する孔20の周りを溶融一体化して、これにより各パーツ同士を接合している。
【００３６】
そしてバンド部材10によって形成された領域内には、コットンボールなどの弾性変形可能な充填材30を充填することにより、正面からでも各バンド部材10の形状の視認性を高める事ができる。この点、仮に当該充填材30を充填しないとすれば、薄肉に形成されたバンド部材10の側面だけが正面側に露出することになり、その結果、当該マスコット玩具50の形状の視認性が低下することになる。本実施の形態では、当該充填材30を使用する事により、形状の視認性を高め、マスコットやアクセサリーとして使用できるように構成している。そこで図３（Ｃ）に示す様に、当該マスコット玩具50にはストラップを連結して構成している。
【００３７】
図４は、梟の顔を模した形態となる様に、各バンド部材10を曲折させて形成したものである、本実施の形態においても、バンド部材10を用いて、「Ｖ」字状に曲折させた両端側を湾曲させて目部分を構成するように形成した目部分パーツ12と、一部を内側に「Ｖ」字状に凹ませて口部分を構成するように形成した口部分パーツ16と、顔の輪郭を構成するように形成した輪郭パーツ17とを接合して形成している。具体的には輪郭パーツ17内の下方側に口部分パーツ16を接合し、この口部分の上方に目部分パーツ12を配設すると共に、口部分パーツ16と輪郭パーツ17とに接合している。この各パーツの接合は、前記図１や２に示したように、重ね合わせた帯状部材を貫通する孔20の周りを溶融一体化して、これにより各パーツ同士を接合している。
【００３８】
そして、上記各パーツにおいてバンド部材10によって区画された領域内には、任意に選択した色のコットンボール又は綿などの充填材30を充填し、前記図３に示した実施の形態にかかるマスコット玩具50と同様に、正面からの形態に視認性を高めている。
【００３９】
図５は更に別の実施の形態にかかるマスコット玩具50を示す斜視図である。この図に示すマスコット玩具50は、特にコースターとして使用する事ができるように形成したマスコット玩具50である。具体的には、バンド部材10を用いて、環状の輪郭を形成する輪郭パーツ17と、当該輪郭パーツ17内に区画されている領域に配される装飾パーツ18とで構成しており、それぞれは加熱された棒状部材（半田鏝など）によって開口された貫通孔20の周りにおいて溶融一体化して接合されている。特に、本実施の形態の様にコースターとして使用できるように形成する場合には、これに使用するバンド部材10は、耐熱性が向上された熱可塑性樹脂を用いて形成されるのが望ましい。但し、市販されているＰＰバンドであれば、コースターとして使用できる程度の耐熱性を有する事を確認した。
【００４０】
この図５に示すマスコット玩具50において、輪郭を形成する輪郭パーツ17は円形に限ることなく各種の形状に形成する事ができ、三角形、四角形等の各種多角形形状に形成する事ができ、或いは魚などの生物を模した輪郭形状に形成する事もできる。また輪郭パーツ17内に設置される装飾パーツ18も各種形状に形成する事ができ、複数の装飾パーツ18も用いても良い。但し、当該マスコット玩具50をコースターや花瓶の台など、その上に物品を載せ置く為に使用する場合には、当該装飾パーツ18は、載せ置く物品の質量に耐えうるように配置されることが望ましい。また当該マスコット玩具50をコースターや花瓶の台などとして使用する場合には、その上端面は平らに形成されることが望ましく、よって当該マスコット玩具50を作成するのに使用するバンド部材10は、同じ幅のバンド部材10を用いて形成することが望ましい。
【００４１】
図６は更に別の実施の形態にかかるマスコット玩具50を示す（Ａ）斜視図、（Ｂ）平面図である。この実施の形態に示すマスコット玩具50は、熱可塑性樹脂からなる帯状のバンド部材10を厚さ方向に接合し、平面視において網状に形成した実施の形態を示している。重ね合わせたバンド部材10同士は、相互に千鳥状に接合することにより、このような編み目構造のマスコット玩具50を形成する事ができる。そして本実施の形態にかかるマスコット玩具50では、網目状に形成されている任意の領域に、コットンボールや布帛などの充填材30を収容し、これにより任意のデザインを表現する事ができるように啓している。
【００４２】
この実施の形態にかかるマスコット玩具50も、各バンド部材10同士の連結は、重ね合わせたバンド部材10同士を貫通する様に高温（バンド部材10の融点以上の温度）の線材を刺し通し、これによって、その貫通孔20の周りを溶融一体化している。
【００４３】
上記幾つかの実施の形態において、それぞれのマスコット玩具50を構成する各バンド部材10は、その色を変える事で様々な意匠を施す事ができる。また異なる幅のバンド部材10を使用する事により、バンド部材10の幅方向に変化を持たせた形態のマスコット玩具50を形成する事もできる。また、バンド部材10は熱可塑性樹脂を用いて製造されていることから、半田鏝等で溶融する事により、磁石やクリップなど、他の部材をこのマスコット玩具に溶着によって取付けることもできる。
【産業上の利用可能性】
【００４４】
上記本考案にかかるマスコット玩具は、ストラップやキーホルダー、或いはアクセサリー等の身の回り品として使用できる他、コースターや花瓶の台、或いは鍋敷きなどの日用品としても使用する事ができる。更に室内外における装飾品として利用する事もできる。更に、学校やカルチャースクールなど技芸を教授する場面においては、当該マスコット玩具を教材として、作成の仕方を教授する為に使用する事もできる。
【符号の説明】
【００４５】
10    バンド部材
12    目部分パーツ
13    胴部分パーツ
14    羽根部分パーツ
15    尾部分パーツ
16    口部分パーツ
17    輪郭パーツ
18    装飾パーツ
20    貫通孔（孔部）
30    充填材
40    半田鏝
50    マスコット玩具
【図１】
0003201937.tif 000003
【図２】
0003201937.tif 000004
【図３】
0003201937.tif 000005
【図４】
0003201937.tif 000006
【図５】
0003201937.tif 000007
【図６】
0003201937.tif 000008